(57)【特許請求の範囲】
【請求項１】
合成樹脂材料によりほぼ四角箱状に形成され、その端面に電線を挿入可能な複数の電線差込口を有し、内部に設けられた端子板及び導電板を介して電線同士を電気的に接続するためのコネクタと、
一端側に収容口を有するほぼ四角箱状に形成され、その収容口から内部に前記コネクタを収容可能なコネクタケースと、
電線が貫通可能な貫通部を有し、前記貫通部から挿通された電線の先端が、コネクタケース内に収容されたコネクタの電線差込口に差し込まれるようにコネクタケースに装着されるとともに、前記貫通部と同貫通部に挿通された電線との間をシールするシール手段が設けられたコネクタカバーとよりなるコネクタ装置。
【請求項２】
前記シール手段は、前記貫通部への電線の挿通に伴い、弾性変形して電線外面へ密接する弾性部により構成される請求項１に記載のコネクタ装置。
【請求項３】
前記コネクタケースには、電線の挿入に伴う弾性部の弾性変形を許容する空間部が設けられている請求項１に記載のコネクタ装置。
【請求項４】
前記コネクタケースは、コネクタを収容可能なケース部と、ケース部を閉塞可能な蓋体とよりなり、前記蓋体に空間部として電線の外径より大きい内径の挿入口が形成されている請求項３に記載のコネクタ装置。
【請求項５】
前記コネクタカバーは、前記コネクタケースにおける蓋体の挿入口を覆うようにコネクタケースに装着される請求項４に記載のコネクタ装置。
【請求項６】
前記コネクタケースにおける蓋体の挿入口の開口部はコネクタカバーにおける貫通部により閉塞される請求項４又は請求項５に記載のコネクタ装置。
【請求項７】
前記蓋体はケース部に回動可能に設けられている請求項４〜６のうちいずれか一項に記載のコネクタ装置。
【請求項８】
前記ケース部の外周面には、前記コネクタカバーの内周面に設けられた突条に係合可能な係合溝が設けられている請求項４〜７のうちいずれか一項に記載のコネクタ装置。
【請求項９】
請求項１〜８のうちいずれか一項に記載のコネクタ装置において、一対の分割体を組み付けて構成される収容ケースを前記コネクタケースの外面に装着したコネクタ装置。
【発明の詳細な説明】
【０００１】
【発明の属する技術分野】
この発明は、電線を電気的に接続するコネクタにおけるコネクタ装置に関するものである。
【０００２】
【従来の技術】
一般に、電気配線等の電線同士を電気的に接続するために、複数の電線差込口を有するコネクタが使用されている。そして、その使用の際は、電線を電線差込口から挿入し、電線をコネクタ内部に設けられた端子板に接触させる。次いで、別の電線を別の電線差込口から挿入し、電線をコネクタ内部に設けられた端子板に接触させる。その結果、電線が端子板を介して接続され、電線同士が電気的に接続される。
【０００３】
【発明が解決しようとする課題】
ところが、電線差込口の内周面と電線の外周面との間には隙間が形成されている。そのため、その隙間から埃等が侵入してコネクタ内部に堆積すると、トラッキング現象を引き起こし、火災発生の原因になるという問題があった。また、屋外でコネクタを使用した場合、隙間からコネクタ内部に水等が侵入し、漏電を引き起こしてしまうという問題もあった。
【０００４】
この発明は、このような従来技術に存在する問題に着目してなされたものである。その目的とするところは、コネクタ内部への埃、水等の侵入を防止することができるとともに、コネクタを種々の場所でも使用できるようにすることにある。
【０００５】
【課題を解決するための手段】
上記の目的を達成するために、請求項１に記載の発明は、合成樹脂材料によりほぼ四角箱状に形成され、その端面に電線を挿入可能な複数の電線差込口を有し、内部に設けられた端子板及び導電板を介して電線同士を電気的に接続するためのコネクタと、一端側に収容口を有するほぼ四角箱状に形成され、その収容口から内部に前記コネクタを収容可能なコネクタケースと、電線が貫通可能な貫通部を有し、前記貫通部から挿通された電線の先端が、コネクタケース内に収容されたコネクタの電線差込口に差し込まれるようにコネクタケースに装着されるとともに、前記貫通部と同貫通部に挿通された電線との間をシールするシール手段が設けられたコネクタカバーとよりなるものである。
【０００６】
請求項２に記載の発明は、請求項１に記載の発明において、前記シール手段は、前記貫通部への電線の挿通に伴い、弾性変形して電線外面へ密接する弾性部により構成されるものである。
【０００７】
請求項３に記載の発明は、請求項１に記載の発明において、前記コネクタケースには、電線の挿入に伴う弾性部の弾性変形を許容する空間部が設けられているものである。
請求項４に記載の発明は、請求項３に記載の発明において、前記コネクタケースは、コネクタを収容可能なケース部と、ケース部を閉塞可能な蓋体とよりなり、前記蓋体に空間部として電線の外径より大きい内径の挿入口が形成されているものである。
【０００８】
請求項５に記載の発明は、請求項４に記載の発明において、前記コネクタカバーは、前記コネクタケースにおける蓋体の挿入口を覆うようにコネクタケースに装着されるものである。
【０００９】
請求項６に記載の発明は、請求項４又は請求項５に記載の発明において、前記コネクタケースにおける蓋体の挿入口の開口部はコネクタカバーにおける貫通部により閉塞されるものである。
【００１０】
請求項７に記載の発明は、請求項４〜６のうちいずれか一項に記載の発明において、前記蓋体はケース部に回動可能に設けられているものである。
請求項８に記載の発明は、請求項４〜７のうちいずれか一項に記載の発明において、前記ケース部の外周面には、前記コネクタカバーの内周面に設けられた突条に係合可能な係合溝が設けられているものである。
【００１１】
請求項９に記載の発明は、請求項１〜８のうちいずれか一項に記載の発明において、一対の分割体を組み付けて構成される収容ケースを前記コネクタケースの外面に装着したものである。
【００１７】
【発明の実施の形態】
以下、この発明の実施形態について詳細に説明する。
図２に示すように、コネクタ１１は合成樹脂材料によりほぼ四角箱状に形成され、その端面には電線１０が差し込み可能な電線差込口１２が２箇所に形成されている。図３に示すように、電線差込口１２の開口部周縁には第１空間部１３が形成され、その内径は電線差込口１２の内奥部の内径より大きくなっている。コネクタ１１内には一対の導電板１４が対向するように接合され、一方（図３では下方）の導電板１４には、コネクタ１１の幅方向へ延び、弾性変形可能な金属板によりほぼコの字状に折り曲げ形成された端子板１５が接合されている。
【００１８】
そして、一対の電線１０をそれぞれ別々の電線差込口１２から挿入した場合、一対の電線１０は端子板１５及び導電板１４を介して電気的に接続されるようになっている。
【００１９】
図２、図５及び図６に示すように、コネクタケース１６を構成するケース部１７は、４枚の側壁１８ａ、１８ｂ、１８ｃ、１８ｄにより一端側（図５では左側）に収容口１９を有するほぼ四角箱状に形成され、その収容口１９からケース部１７内にコネクタ１１を収容可能になっている。側壁１８ａの収容口１９側の縁部にはヒンジ２０を介して蓋体２１が回動可能に設けられ、収容口１９を開放又は閉塞するようになっている。蓋体２１の中央には一対の第２空間部としての挿入口２２が形成され、そこから電線１０をケース部１７内へ挿入することができ、また、図１に示すように、挿入口２２の内径は電線１０の外径より大きく形成されている。蓋体２１の縁部には一対の係止突起２３が形成されている。
【００２０】
側壁１８ｃの収容口１９側の縁部には一対の係止孔２４が形成され、図６に示すように、前記蓋体２１を収容口１９の閉鎖方向へ回動させたとき、図１に示すように、蓋体２１の一対の係止突起２３がケース部１７の一対の係止孔２４にそれぞれ係合して蓋体２１の回動を防止するようになっている。ケース部１７の中央全周には、係合溝２５が形成され、前記係合溝２５によりケース部１７の他端側（図５では右側）には帯状部２６がケース部１７の全周にわたって形成されている。
【００２１】
図２に示すように、側壁１８ｃ上に位置する帯状部２６において、その中央の収容口１９側には四角形状の係合凹部２７が形成され、前記係合凹部２７の一側には係合突起２８が、他側には係合孔２９が形成されている。そして、別のコネクタケース１６の係合突起２８と係合孔２９とがそれぞれ係合して、両コネクタケース１６を位置決めするようになっている。側壁１８ａ上に位置する帯状部２６には、帯状部２６が延びる方向へ延びるゲージ３０が凹設されている。
【００２２】
図４及び図６に示すように、コネクタカバー３１はゴム、軟質材料等によりほぼ四角箱状に形成され、一端側（図４では下側）には装着部３２が開口形成され、他端側（図４では上側）には装着部３２を閉鎖する閉鎖面３３が形成されている。装着部３２の開口の内周面には突条３４が全周にわたって形成され、装着部３２の開口の端面からは凸部３５が外方へ延びるように形成されている。
【００２３】
閉鎖面３３の中央には一対の貫通部３６が設けられ、その貫通部３６の閉鎖面３３から装着部３２方向へはシール手段としての弾性部３７が凹設されている。また、弾性部３７の底面には貫通部３６を閉塞する肉薄部３７ａが形成されている。この肉薄部３７ａの厚みは、肉薄部３７ａ以外のコネクタカバー３１の厚みより薄く形成され、電線１０の挿通により容易に破切して同電線１０を貫通させることができるようになっている。また、そのとき、図１に示すように、弾性部３７は外方へ拡径変形するとともに、電線１０の外周面に密接するようになっている。
【００２４】
そして、図６に示すように、コネクタカバー３１の装着部３２の開口からコネクタケース１６の蓋体２１側を収容するとともに、蓋体２１の外面を閉鎖面３３に当接させてコネクタカバー３１をコネクタケース１６に装着する。このとき、装着部３２の開口端はコネクタケース１６の帯状部２６に、突条３４はコネクタケース１６の係合溝２５に、凸部３５は係合凹部２７にそれぞれ係合する。その結果、コネクタカバー３１がコネクタケース１６の所定位置に位置決め固定され、また、図１に示すように、一対の貫通部３６から弾性部３７は蓋体２１の挿入口２２内に嵌入される。従って、コネクタカバー３１を装着することにより、コネクタケース１６の蓋体２１側の外面はコネクタカバー３１により被覆されるとともに、挿入口２２は貫通部３６により閉塞される。
【００２５】
図２及び図８に示すように、一対の分割体３８は合成樹脂材料により一側面及び一端面が開放された四角箱状に形成されている。分割体３８の一側壁の端部には、その側壁に対して直交する方向へ折り曲げられ、その中央には分割体３８の長手方向へ延びる連結孔３９が形成されている。分割体３８の他側壁の端部には、その側壁の外方へ延びる連結部４０が形成され、連結部４０の先端には一対の係合突部４１が形成されている。分割体３８の内周面には規制片４２が所定間隔をおいて４箇所に突出形成されている。
【００２６】
そして、一対の分割体３８間の空間を対応させ、一端面が開放されるようにする。さらに、一対の分割体３８の連結孔３９に連結部４０をそれぞれ挿入し、連結孔３９の外面に一対の係合突部４１を係合する。その結果、図９に示すように、一対の分割体３８は組み付けられるとともに、内部に空間を有し、一端面に開口を有する収容ケース４３が構成される。
【００２７】
次に、コネクタ１１、コネクタカバー３１、コネクタケース１６及び収容ケース４３の使用方法とともに、それらの作用を説明する。
まず、図５に示すように、コネクタケース１６の蓋体２１の係止突起２３とケース部１７の係止孔２４との係合を解除し、蓋体２１を収容口１９の開放方向へ回動させる。そして、コネクタ１１の電線差込口１２が、蓋体２１側へ位置するように収容口１９からケース部１７内へコネクタ１１を収容する。次いで、図６に示すように、蓋体２１を収容口１９の閉鎖方向へ回動させるとともに、一対の係止突起２３をそれぞれ係止孔２４に係合させる。その結果、係止突起２３と係止孔２４との係合により、ケース部１７の収容口１９が蓋体２１により閉鎖されるとともに、蓋体２１の開放方向への回動が防止される。
【００２８】
次に、コネクタカバー３１の装着部３２の開口からコネクタケース１６の蓋体２１側を収容するとともに、蓋体２１の外面をコネクタカバー３１の閉鎖面３３に当接させてコネクタカバー３１をコネクタケース１６に装着する。このとき、装着部３２の端面はコネクタケース１６の帯状部２６に、突条３４はコネクタケース１６の係合溝２５に、凸部３５は係合凹部２７にそれぞれ係合する。その結果、コネクタカバー３１がコネクタケース１６の所定位置に位置決め固定され、また、一対の貫通部３６から弾性部３７は、蓋体２１の挿入口２２内に嵌入される。従って、コネクタカバー３１を装着することにより、コネクタケース１６の蓋体２１側の外面はコネクタカバー３１により被覆されるとともに、コネクタ装置４４が構成される。同様の作業を行いコネクタ装置４４を別に作成する。
【００２９】
続いて、図７に示すように、一方（図７では上方）のコネクタ装置４４の係合突起２８に他方（図７では下方）のコネクタ装置４４の係合孔２９を係合し、前記下方のコネクタ装置４４の係合突起２８に前記上方のコネクタ装置４４の係合孔２９を係合させ、一対のコネクタ装置４４を位置決めする。
【００３０】
次いで、図８に示すように、一対のコネクタ装置４４を分割体３８内に配置し、連結孔３９に連結部４０をそれぞれ挿入し、連結孔３９の外面に一対の係合突部４１を係合して一対の分割体３８を組み付けて、図９に示すように、収容ケース４３を構成する。
【００３１】
このとき、収容ケース４３内には、一対のコネクタ装置４４がそのコネクタカバー３１側を収容ケース４３の開口側に位置するようになっている。また、一対の分割体３８の内面にそれぞれ設けられた規制片４２により、一対のコネクタ装置４４が収容ケース４３の開口から抜け出るのを防止するようになっている。
【００３２】
そして、一方（図８では上方）の電線１０の先端を一方（図８では上方）のコネクタカバー３１の貫通部３６に挿通し、他方（図８では下方）の電線１０の先端を他方（図８では下方）のコネクタカバー３１の貫通部３６に挿通する。次いで、両電線１０の先端をそれぞれコネクタカバー３１の弾性部３７を貫通させ、さらに肉薄部３７ａを破切させてコネクタ１１の電線差込口１２に挿入する。このとき、図１に示すように、弾性部３７は電線１０の貫通に伴い、外方へ拡径変形するとともに、電線１０の外周面に密接する。
【００３３】
また、蓋体２１の挿入口２２の外径は電線１０の外径より大きく形成されている。そのため、弾性部３７の挿入口２２方向への拡径による弾性変形を許容することができる。その結果、挿入口２２の内周面と電線１０の外周面との間の隙間が弾性部３７によりシールされる。
【００３４】
従って、隙間からコネクタ１１内に埃等が侵入するのを防止して、トラッキング現象が引き起こされるのを防止することができる。また、隙間からコネクタ１１内に水が侵入するのを防止して、漏電が引き起こされるのも防止することができる。
【００３５】
以上のように、この実施形態によれば、次のような効果が発揮される。
・  本実施形態のコネクタカバー３１によれば、電線１０をコネクタカバー３１の貫通部３６に挿通するとともに、コネクタ１１の電線差込口１２に挿入したとき、貫通部３６は電線１０の外周面に密接する。そのため、貫通部３６と電線１０との間の隙間が貫通部３６によりシールされる。従って、隙間からコネクタ１１内に埃等が侵入するのを防止して、トラッキング現象が引き起こされるのを防止することができる。また、隙間からコネクタ１１内に水等が侵入するのを防止して、漏電が引き起こされるのも防止することができる。
【００３６】
・  本実施形態のコネクタカバー３１によれば、貫通部３６の閉鎖面３３から装着部３２方向にかけて弾性変形可能な弾性部３７が形成されている。そのため、電線１０をコネクタカバー３１の貫通部３６に挿通するとともに、コネクタ１１の電線差込口１２に挿入したとき、弾性部３７は挿通状態では外方へ拡径変形するとともに、電線１０の外周面に密接する。その結果、弾性部３７の内周面と電線１０の外周面との間の隙間を確実にシールすることができる。
【００３７】
・  本実施形態のコネクタカバー３１によれば、肉薄部３７ａはコネクタカバー３１のその他の部分より肉薄に形成されている。そのため、電線１０を容易に貫通させることができる。
【００３８】
・  本実施形態のコネクタカバー３１によれば、肉薄部３７ａは未使用状態では貫通部３６を閉塞しており、電線１０の貫通により破切する。そのため、貫通部３６が未使用状態のとき、コネクタ１１内に埃、水等が侵入するのを防止することができる。
【００３９】
・  本実施形態のコネクタ装置４４によれば、コネクタケース１６の蓋体２１の第２空間部としての挿入口２２の内径は、電線１０の外径より大きく形成されている。そのため、電線１０が弾性部３７を貫通したとき、弾性部３７の外方への拡径による弾性変形を許容することができる。従って、弾性部３７の拡径変形を確実に行わせることができ、また、電線１０を容易に貫通させることができる。
【００４０】
・  本実施形態のコネクタ装置４４によれば、コネクタカバー３１はコネクタ１１の電線差込口１２を閉塞する蓋体２１の外面を閉鎖するようにコネクタケース１６に装着される。そのため、コネクタカバー３１によりコネクタ１１内に埃、水等が侵入するのをより確実に防止することができる。
【００４１】
・  本実施形態のコネクタ装置４４によれば、コネクタケース１６の外周には係合溝２５が形成され、コネクタカバー３１の装着部３２の開口周縁には突条３４が形成されている。そのため、コネクタケース１６にコネクタカバー３１を装着したとき、係合溝２５と突条３４との係合により、コネクタカバー３１をコネクタケース１６に確実に位置決め固定することができる。
【００４２】
・  本実施形態のコネクタ装置４４によれば、コネクタ１１を収容し、蓋体２１により収容口１９を閉鎖し、さらに、コネクタカバー３１により蓋体２１側を閉鎖するため、コネクタ１１内に埃、水等が侵入するのを確実に防止することができる。また、コネクタ１１をコネクタケース１６内に確実に位置決め固定することができる。
【００４３】
・  本実施形態のコネクタ装置４４によれば、コネクタケース１６の収容口１９には収容口１９を開閉可能な蓋体２１が回動可能に取り付けられている。そのため、収容口１９からのコネクタ１１の収容又は取り出しを容易に行うことができる。さらに、収容口１９を閉鎖した蓋体２１によりコネクタケース１６内のコネクタ１１が外部へ抜け出るのを防止することができる。
【００４４】
・  本実施形態のコネクタ装置４４によれば、蓋体２１の端部には一対の係止突起２３が形成され、コネクタケース１６の収容口１９側の縁部には一対の係止孔２４が形成されている。そのため、蓋体２１により収容口１９を閉鎖したとき、一対の係止突起２３がケース部１７の一対の係止孔２４にそれぞれ係合して蓋体２１の回動を防止することができる。
【００４５】
・  本実施形態のコネクタ装置４４によれば、コネクタケース１６の外周には帯状部２６が形成され、その帯状部２６の一面には係合突起２８及び係合孔２９が形成されている。そのため、別のコネクタケース１６の係合孔２９と係合突起２８とがそれぞれ係合して、一対のコネクタケース１６を位置決めすることができる。
【００４６】
・  本実施形態の収容ケース４３によれば、収容ケース４３は一対の分割体３８を組み付けて構成され、各分割体３８の内周面に規制片４２が４箇所にそれぞれ形成されている。そのため、一対のコネクタ装置４４を収容ケース４３内に収容したとき、規制片４２により一対のコネクタ装置４４を収容ケース４３内に位置決め固定することができるとともに、収容ケース４３からの抜け落ちを防止することができる。
【００４７】
・  本実施形態の収容ケース４３によれば、分割体３８の一側壁の端縁には連結孔３９が形成され、他側壁の端縁には連結部４０が形成され、連結部４０の先端には一対の係合突部４１が形成されている。そのため、連結孔３９に連結部４０をそれぞれ挿入し、連結孔３９の外面に一対の係合突部４１を係合することにより分割体３８を組み付けて収容ケース４３を容易かつ確実に構成することができる。
【００４８】
尚、前記実施形態は次のように変更して具体化することも可能である。
・  コネクタカバー３１を、その貫通部３６及び弾性部３７がコネクタ１１の電線差込口１２に対応するようにコネクタ１１の外面に直接接合して電線コネクタを形成してもよい。また、コネクタ１１の外周面に係合溝２５を形成し、コネクタカバー３１の装着部３２の内径をコネクタ１１の外径に対応させ、コネクタカバー３１の開口内周面に突条３４を形成し、突条３４を係合溝２５に係合して一体化して電線コネクタを形成してもよい。このように構成した場合も、電線１０をコネクタカバー３１の貫通部３６から弾性部３７に挿通するとともに、コネクタ１１の電線差込口１２に挿入したとき、貫通部３６の弾性部３７は外方へ拡径変形し、電線１０の外周面に密接する。また、弾性部３７は電線差込口１２の第１空間部１３に収容される。そのため、貫通部３６と電線１０との間の隙間が弾性部３７によりシールされる。従って、隙間からコネクタ１１内に埃等が侵入するのを防止して、トラッキング現象が引き起こされるのを防止することができる。また、隙間からコネクタ１１内に水等が侵入するのを防止して、漏電が引き起こされるのも防止することができる。
【００４９】
・  貫通部３６において、弾性部３７を貫通部３６の閉鎖面３３から装着部３２方向へ凹設せずに、閉鎖面３３の内面と面一になるように、貫通部３６を弾性部３７により閉鎖してもよい。このように構成した場合、電線１０をコネクタカバー３１の貫通部３６から挿通するとともに、コネクタ１１の電線差込口１２に挿入したとき、貫通部３６の弾性部３７は電線差込口１２方向へ弾性変形し、電線１０の外周面に密接する。従って、隙間からコネクタ１１内に埃等が侵入するのを防止して、トラッキング現象が引き起こされるのを防止することができる。また、隙間からコネクタ１１内に水等が侵入するのを防止して、漏電が引き起こされるのも防止することができる。
【００５０】
・  コネクタカバー３１において、貫通部３６、弾性部３７及び肉薄部３７ａのみをゴム、軟質材料等の弾性変形可能な材料により形成し、その他の部分を金属材料、合成樹脂材料等により形成してもよい。このように構成した場合、電線１０をコネクタカバー３１の貫通部３６に挿通するとともに、コネクタ１１の電線差込口１２に挿入したとき、電線１０により肉薄部３７ａを容易に破切することができる。また、弾性部３７は電線１０の外周面に密接する。そのため、貫通部３６と電線１０との間の隙間を弾性部３７によりシールすることができる。
【００５１】
・  コネクタケース１６の蓋体２１を省略し、収容口１９により第２空間部を形成してもよい。または、コネクタケース１６の蓋体２１の一対の挿入口２２を、蓋体２１を貫通する１つの大きな孔として第２空間部としてもよい。このように構成した場合も、電線１０の貫通に伴う弾性部３７の弾性変形を第２空間部により許容することができる。
【００５２】
・  一対のコネクタ１１を接合してもよい。
・  コネクタカバー３１を、コネクタ１１全体を被覆する、又はコネクタ１１を収容したコネクタケース１６全体を被覆するように形成してもよい。なお、このとき、コネクタカバー３１の貫通部３６及び弾性部３７は、コネクタ１１の電線差込口１２又はコネクタケース１６の挿入口２２に対応するようになっている。このように構成した場合、コネクタカバー３１によりコネクタ１１内に埃、水等が侵入するのを防止することができる。
【００５３】
・  コネクタ１１を収容したコネクタケース１６の蓋体２１側にコネクタカバー３１を装着し、収容ケース４３を省略したコネクタ装置４４を使用してもよい。又は、コネクタカバー３１を、その貫通部３６及び弾性部３７がコネクタ１１の電線差込口１２に対応するようにコネクタ１１の外面に直接接合して構成した電線コネクタ、あるいは、コネクタ１１の外周面に係合溝２５を形成し、コネクタカバー３１の装着部３２の内径をコネクタ１１の外径に対応させ、コネクタカバー３１の開口内周面に突条３４を形成し、突条３４を係合溝２５に係合して一体化した電線コネクタの外面に収容ケース４３を装着して使用してもよい。このように構成した場合も、貫通部３６と電線１０との隙間を弾性部３７によりシールしてコネクタ１１内部への埃、水等の侵入を防止することができるとともに、コネクタ１１を種々の場所でも使用することができる。
【００５４】
・  ゴム、軟質材料等の弾性変形可能な複数の弾性片の基端部を弾性部３７の下端縁に接合し、弾性片の先端部を開閉可能にして肉薄部３７ａを構成してもよい。このように構成した場合、弾性片の先端部から電線１０を挿通したとき、複数の弾性片が電線１０の挿通方向へ弾性変形するとともに、電線１０の外周面に密接する。そのため、電線１０の外周面を弾性片によりシールしてコネクタ１１内部への埃、水等の侵入を防止することができるとともに、コネクタ１１を種々の場所でも使用することができる。
【００５５】
・  コネクタカバー３１を、その貫通部３６及び弾性部３７がコネクタ１１の電線差込口１２に対応するようにコネクタ１１の外面に直接接合して電線コネクタを形成する、又はコネクタ１１の外周面に係合溝２５を形成し、コネクタカバー３１の装着部３２の内径をコネクタ１１の径に対応させ、コネクタカバー３１の開口内周面に突条３４を形成し、突条３４を係合溝２５に係合して一体化して電線コネクタを形成する。そして、その電線コネクタを、貫通部３６がコネクタケース１６の挿入口２２に対応するようにコネクタケース１６に収容してコネクタ装置４４としてもよい。さらに、そのコネクタ装置４４の外面に収容ケース４３を装着して使用してもよい。
【００５６】
このように構成した場合、電線１０の外周面を弾性部３７によりシールしてコネクタ１１内部への埃、水等の侵入を防止することができるとともに、コネクタ１１を種々の場所でも使用することができる。
【００５７】
・  蓋体２１をケース部１７の収容口１９においてケース部１７から着脱可能に構成してもよい。このように構成した場合、蓋体２１をケース部１７から取り外した状態又は蓋体２１をケース部１７に取り付けて収容口１９を閉塞した状態において、収容口１９又は挿入口２２により第２空間部を構成して、貫通部３６における電線１０の挿通による弾性部３７の弾性変形を許容することができる。
【００６０】
【発明の効果】
請求項１、９に記載の発明によれば、コネクタ内部への埃、水等の侵入を防止することができるとともに、コネクタを種々の場所でも使用できる。
【００６１】
請求項２に記載の発明によれば、請求項１に記載の発明の効果に加え、貫通部と電線との間の隙間を確実にシールすることができる。
請求項３に記載の発明によれば、請求項１に記載の発明の効果に加え、電線が弾性部を貫通したとき、弾性部の外方への拡径による弾性変形を許容することができる。従って、弾性部の弾性変形を確実に行わせることができ、また、電線を容易に貫通させることができる。
【００６２】
請求項４に記載の発明によれば、請求項３に記載の発明の効果に加え、コネクタをコネクタケース内に確実に位置決め固定することができるとともに、電線が弾性部を貫通したとき、弾性部の外方への拡径による弾性変形を許容することができる。
【００６３】
請求項５に記載の発明によれば、請求項４に記載の発明の効果に加え、コネクタカバーによりコネクタ内に埃、水等が侵入するのをより確実に防止することができる。
【００６４】
請求項６に記載の発明によれば、請求項４又は請求項５に記載の発明の効果に加え、コネクタカバーの貫通部によりコネクタ内に埃、水等が侵入するのをより確実に防止することができる。
【００６５】
請求項７に記載の発明によれば、請求項４〜６のうちいずれか一項に記載の発明の効果に加え、蓋体によりコネクタケース内のコネクタが外部へ抜け出るのを防止することができる。
【００６６】
請求項８に記載の発明によれば、請求項４〜７のうちいずれか一項に記載の発明の効果に加え、コネクタケースにコネクタカバーを装着したとき、コネクタカバーを確実に位置決め固定することができる。
【図面の簡単な説明】
【図１】実施形態のコネクタ装置を示す断面図。
【図２】実施形態のコネクタ装置を示す分解斜視図。
【図３】コネクタを示す側断面図。
【図４】コネクタカバーを示す断面図。
【図５】コネクタケースにコネクタを収容する前の状態の斜視図。
【図６】コネクタカバーをコネクタケースに装着する前の状態の斜視図。
【図７】一対のコネクタ装置を組み付ける前の状態を示す斜視図。
【図８】分割体及び電線を組み付ける前の状態を示す斜視図。
【図９】収容ケース内にコネクタ装置を収容した状態の斜視図。
【符号の説明】
１０…電線、１１…コネクタ、１２…電線差込口、１３…空間部としての第１空間部、１６…コネクタケース、１７…ケース部、２１…蓋体、２２…第２空間部としての挿入口、３１…コネクタカバー、３６…貫通部、３７…弾性部、３７ａ…肉薄部、４４…コネクタ装置。
【図１】
0003571541.tif 000002
【図２】
0003571541.tif 000003
【図３】
0003571541.tif 000004
【図４】
0003571541.tif 000005
【図５】
0003571541.tif 000006
【図６】
0003571541.tif 000007
【図７】
0003571541.tif 000008
【図８】
0003571541.tif 000009
【図９】
0003571541.tif 000010